(57)【要約】【課題】  モータ、ファンおよびフィルタを含む構成ユニットを２つ夫々上下２段に配置したもので、付加機能として、電解水ミスト発生装置を取り付ける場合に、安定性、操作性を向上させることのできる空気清浄機を提供することを目的とする。【解決手段】  ハウジング３内に、モータ８、１７、ファン９、１８、及びフィルタ１０、１９を含む構成ユニットを２つ夫々上下２段に配置し、ハウジング３には、上段の構成ユニットのための吸気口１３及び排気口１２ならびに下段の構成ユニットのための吸気口２２及び排気口２１を、夫々上下に分散して設け、上下の構成ユニットの間に配置され、ハウジング外に電解ミストを放出させる電解水ミスト発生装置２５を具える。【選択図】    図２
2009213739.tif 000002
【特許請求の範囲】
【請求項１】
モータによりファンを回転させて吸気口より空気を吸い込み、吸い込んだ空気をフィルタに通すことにより浄化して、排気口から排気する空気清浄機において、
ハウジング内に、前記モータ、ファンおよびフィルタを含む構成ユニットを２つ夫々上下２段に配置し、前記ハウジングには、上段の構成ユニットのための吸気口及び排気口ならびに下段の構成ユニットのための吸気口及び排気口を、夫々上下に分散して設け、
上下の構成ユニットの間に配置され、ハウジング外に電解水ミストを放出させる電解水ミスト発生装置を具えてなる空気清浄機。
【請求項２】
前記電解水ミスト発生装置は、前記下側のファンにより排気される空気の一部を取り込んで、中で発生した電解水ミストを上側のファンを内蔵したファンケーシングへ送り込み、上側のフィルタで浄化された空気と一緒にハウジング外へ放出するようにした請求項1に記載の空気清浄機。
【請求項３】
前記電解水ミスト発生装置は、水を貯める貯水部と、貯水部に貯められた水を電気分解する電極と、上記貯水部の電解水に泡を発生させるための泡発生機構とを具え、泡発生機構は、前記下側のファンにより排気される空気の一部を貯水部に貯められた電解水中に送って泡を発生させるもので、発生された泡が大気中に解放される際に弾けることによってミストを発生させ、発生した電解水ミストを上側のフィルタで浄化された空気と一緒にハウジング外へ放出するようにした請求項1に記載の空気清浄機。
【請求項４】
前記電解水ミスト発生装置は、水を貯める貯水部と、貯水部に貯められた水を電気分解する電極と、電解水に超音波振動を与えてミストを発生させる超音波振動子とを具え、前記下側のファンにより排気される空気の一部により、発生した電解水ミストを上側のファンを内蔵したファンケーシングへ送り込むようにした請求項２に記載の空気清浄機。
【発明の詳細な説明】
【技術分野】
【０００１】
本発明は、モータによりファンを回転させて吸気口より空気を吸い込み、吸い込んだ空気をフィルタに通すことにより浄化して、排気口から排気する空気清浄機に関する。
【背景技術】
【０００２】
従来空気清浄機は、その設置面積を大きくしないで性能をアップさせるために、モータ、ファンおよびフィルタを含む構成ユニットを２つ夫々上下２段に配置し、ハウジングには、上段の構成ユニットのための吸気口及び排気口ならびに下段の構成ユニットのための吸気口及び排気口を、夫々上下に分散して設けたものが、知られている。（例えば特許文献１）
また、空気清浄機の付加機能として、空気清浄機の上部に電解水ミストを発生させる電解水ミスト発生装置を配設して、空気中に電解水ミストを放出して、空気中に存在する雑菌等を殺菌するようにしたものが知られている。（例えば特許文献２）
【特許文献１】特開２００６−３３６９５７号公報
【特許文献２】特開２００６−６５６３号公報
【発明の開示】
【発明が解決しようとする課題】
【０００３】
特許文献１のように、モータ、ファンおよびフィルタを含む構成ユニットを２つ夫々上下２段に配置して、性能をアップさせたものは、高さが高くなるので、電解水ミストを放出させる機能を付加しようと、ハウジングの上部に電解水ミスト発生装置を配置すれば、水を使用するため不安定となり、倒れやすくなる。かといって、ハウジングの下部に配置すれば、操作性が悪くなる。
【０００４】
本発明はかかる背景のもとになされたもので、モータ、ファンおよびフィルタを含む構成ユニットを２つ夫々上下２段に配置したもので、付加機能として、電解水ミスト発生装置を取り付ける場合に、安定性、操作性を向上させることのできる空気清浄機を提供することを目的とする。
【課題を解決するための手段】
【０００５】
本発明は、モータによりファンを回転させて吸気口より空気を吸い込み、吸い込んだ空気をフィルタに通すことにより浄化して、排気口から排気する空気清浄機で、ハウジング内に、前記モータ、ファンおよびフィルタを含む構成ユニットを２つ夫々上下２段に配置し、前記ハウジングには、上段の構成ユニットのための吸気口及び排気口ならびに下段の構成ユニットのための吸気口及び排気口を、夫々上下に分散して設け、上下の構成ユニットの間に、ハウジング外に電解水ミストを放出させる電解水ミスト発生装置を具えたものである。
【０００６】
具体的には、電解水ミスト発生装置は、前記下側のファンにより排気される空気の一部を取り込んで、中で発生した電解水ミストを上側のファンを内蔵したファンケーシングへ送り込み、上側のフィルタで浄化された空気と一緒にハウジング外へ放出するようにしたものである。
【０００７】
また電解水ミスト発生装置は、水を貯める貯水部と、貯水部に貯められた水を電気分解する電極と、上記貯水部の電解水に泡を発生させるための泡発生機構とを具え、泡発生機構は、前記下側のファンにより排気される空気の一部を貯水部に貯められた電解水中に送って泡を発生させるもので、発生された泡が大気中に解放される際に弾けることによってミストを発生させ、発生した電解水ミストを上側のフィルタで浄化された空気と一緒にハウジング外へ放出するようにしたものである。
【０００８】
また電解水ミスト発生装置は、水を貯める貯水部と、貯水部に貯められた水を電気分解する電極と、電解水に超音波振動を与えてミストを発生させる超音波振動子とを具え、前記下側のファンにより排気される空気の一部により、発生した電解水ミストを上側のファンを内蔵したファンケーシングへ送り込むようにしたものである。
【発明の効果】
【０００９】
本発明の空気清浄機によれば、モータ、ファンおよびフィルタを含む構成ユニットを２つ夫々上下２段に配置しているので、設置面積を小さくした上で、浮遊して上から落ちてくる塵埃は上側のフィルタで素早く除去し、また床面から舞い上がる塵埃は下側のフィルタで素早く除去して、性能を向上させることができると共に、電解水ミスト発生装置を、上下の構成ユニットの間即ち、上下のファンを内蔵する上下のファンケーシング間に生ずるデッドスペースを利用して配置しているので、大型化になることなく、安定性も良く、また操作性も優れたものとなる。
【００１０】
また電解水ミスト発生装置で発生した電解水ミストは、下側のファンにより排気される空気の一部を利用して上側のファンケーシングへ送り込み、上側のフィルタで浄化された空気と一緒にハウジング外へ放出するようにしたので、電解水ミストを放出させる特別のファンは必要とせず、上側のファンにより遠くに広範囲に電解水ミストを放出させることができる。
【００１１】
また下側のファンにより排気される空気の一部を、貯水部に貯められた電解水中に送って泡を発生させ、発生された泡が大気中に解放される際に弾けることによってミストを発生させるようにすれば、泡を発生させるための特別のポンプも必要としない。
【００１２】
また貯水部に貯められ電解水に超音波振動を与えてミストを発生させるようにすれば、多くの電解水ミストを発生させることができる。
【発明を実施するための最良の形態】
【００１３】
以下では、この発明の実施の形態を、添付図面を参照して詳細に説明する。図１は、この発明の一実施形態にかかる空気清浄機１の構成を示す正面図である。また、図２は、図１に示す空気清浄機１を切断線Ａ−Ａで切断した状態を示す図である。
【００１４】
空気清浄機１は、例えば室内に設置されて、機外の空気を取り込み、その空気を清浄する処理を施して機外に排出することにより、室内の空気清浄を行うものである。空気清浄機１の外形は、左右方向の長さに比べて前後方向の長さが短い薄型のハウジング２により区画されている。ハウジング２の前面開口部は、着脱自在な前面板３で覆われている。ハウジング２内は上下方向に仕切板４、５によって３つに区画されている。
【００１５】
上側の区画室６は、仕切板７により前後に区画され、仕切板７の後方には、モータ８により回転されるファン９が配設されている。モータ８は、仕切板７に取り付けられている。仕切板７より前方には、塵埃を除去するフィルタ１０が配設されている。ファン９は、図１の如く渦巻状のファンケーシング１１内に内蔵されている。ファンケーシング１１は、仕切板４、７及びハウジング２の後壁より構成され、図１においてハウジング２の右側面に設けた排気口１２と連通する。前面板３のフィルタ１０と対面する部分には、複数の縦長スリットが開口されて、吸気口１３を構成している。
【００１６】
ファン９が回転することにより、吸気口１３から外気を吸引してフィルタ１０に通し、空気中に含まれる塵埃を除去して浄化した後、仕切板７に設けた通気口１４よりファンケーシング１１内へ送り込まれ、図１の矢印のように、排気口１２より浄化された空気が放出される。このように、上側の区画室６は、モータ８、ファン９及びフィルタ１０を含む空気清浄機の上側の構成ユニットを形成している。
【００１７】
下側の区画室１５も同様に、仕切板１６により前後に区画され、仕切板１６の後方には、モータ１７により回転されるファン１８が配設されている。モータ１７は、仕切板１６に取り付けられている。仕切板１６より前方には、塵埃を除去するフィルタ１９が配設されている。ファン１８は、図１の如く渦巻状のファンケーシング２０内に内蔵されている。ファンケーシング２０は、仕切板５、１６及びハウジング２の後壁より構成され、図１においてハウジング２の左側面に設けた排気口２１と連通する。前面板３のフィルタ１９と対面する部分には、複数の縦長スリットが開口されて、吸気口２２を構成している。そして、ファン１８が回転することにより、吸気口２２から外気を吸引してフィルタ１９に通し、空気中に含まれる塵埃を除去して浄化した後、仕切板１６に設けた通気口２３よりファンケーシング２０内へ送り込まれ、図１の矢印のように、排気口２１より浄化された空気が放出される。このように、下側の区画室１５は、モータ１７、ファン１８及びフィルタ１９を含む空気清浄機の下側の構成ユニットを形成している。
【００１８】
上下の区画室６、１５に挟まれた中間の区画室２４には、電解水ミスト発生装置２５が配置されている。電解水ミスト発生装置２５は、水を貯める貯水部２６と、貯水部２６に貯められた水を電気分解する一対の電極２７と、上記貯水部２６の電解水に泡を発生させるための泡発生機構２８とを具える。
【００１９】
貯水部２６は容器本体２９と蓋３０とより構成され、前面板３の中央に開口した取出口３１より出し入れ可能になっている。蓋３０の一部には開口３２が形成され、またこの開口３２と合致するように前記仕切板４にも開口３３が形成されて、貯水部２６内と上側のファンケーシング１１内を連通している。
【００２０】
一対の電極２７は、電極２７のピン３４をコネクタ３５接続することにより、図示しない電源回路に接続される。この電極２７に電圧を印加することにより、貯水部２６に貯えられた水を電気分解して電解水を生成する。
【００２１】
泡発生機構２８は、下端が下側のファンケーシング２０に接続され、ファンケーシング２０内の空気の一部を取り入れるＬ字型の空気取り込みパイプ３６と、該パイプ３６の上端に一端側が着脱自在に接続され、他端側が貯水部２６の水中に沈められる泡発生管３７より構成される。泡発生管３７の水中に沈められている部分は、図１のように、その左右の幅が広がっており、この広くなった上面には、多数の小孔３８が形成されている。下側のファンケーシング２０内の排気されようとする空気の一部が、図１、図２の矢印のように、空気取り込みパイプ３６及び泡発生管３７を介して、多数の小孔３８より貯水部２６に貯められた電解水中に放出される。この放出された空気により泡を発生させ、発生された泡が大気中に解放される際に弾けることによって電解水ミストを発生させる。
【００２２】
発生した電解水ミストは、上側のファン９の回転により、図１、図２の矢印のように、上側のファンケーシング１１内へ前記開口３２、３３を介して吸引され、上側のフィルタ１０を通って浄化された空気と一緒に上側の排気口１２より放出される。電解水ミストはこのように上側のファン９により放出されるので、より遠くまで広範囲に放出して、空気中に存在する雑菌等を殺菌することができる。
【００２３】
貯水部２６への水の補給は、容器本体２９を蓋３０と共に、前面板３の中央の取出口３１より取り出し、蓋３０を外して行う。容器本体２９を取り出す際は、電極２７のピン３４がコネクタ３５から外れ、また泡発生管３７が空気取り込みパイプ３６から外れるようになっている。容器本体２９を取出口３１より元の位置に挿入すれば、これらの外れた状態が元の接続された状態に戻るようになっている。
【００２４】
以上の実施例の空気清浄機によれば、床面から舞い上がる塵埃や浮遊して上から落ちてくる塵埃は、上側のファン９により上側の吸気口１３より吸引されて上側のフィルタ１０で素早く除去され、また、床面から舞い上がる塵埃は、下側のファン１８により下側の吸気口２２より吸引されて下側のフィルタ１９で素早く除去され、性能を向上させることができると共に、電解水ミスト発生装置２５は、上下のファンケーシング１１、２０間に生ずるデッドスペースを利用して配置されているので、大型化にならない。また電解水ミスト発生装置２５は、ハウジング３の上部でもなく下部でもない中央部に配置されているので、安定性も良く、また操作性にも優れたものとなる。
【００２５】
また、下側のファンケーシング２０より排気される空気の一部を貯水部２６に貯められた電解水中に送って泡を発生させて電解水ミストを発生させているので、泡を発生させるための特別なポンプを必要としない。さらに、電解水ミスト発生装置２５で発生した電解水ミストは、上側のファンケーシング１１内の気流の乗せて、上側の排気口１２より放出させているので、電解水ミストを放出させる特別のファンは必要とせず、安価にできる。
【００２６】
以上述べた電解水ミスト発生装置２５は、気泡を発生させて電解水ミストを発生させるものであるが、気泡の代わりに、超音波振動子（図示せず）により電解水に超音波振動を与えて、電解水ミストを発生させるものでも良い。この場合、発生した電解水ミストは、空気取り込みパイプ３６を介して送り込まれた下側のファンケーシング２０より排気される空気の一部により、上側のファンケーシング１１へ送り込むことができる。また、超音波振動を与えてミストを発生させるようにすれば、より多くの電解水ミストを発生させることができる。
【図面の簡単な説明】
【００２７】
【図１】本発明の空気清浄機全体の正面図である。
【図２】図１のＡ−Ａ線に基づく断面図で、円内は、円Ｂ内の拡大図を示す。
【符号の説明】
【００２８】
８    上側モータ
９    上側ファン
１０    上側フィルタ
１３    上側吸気口
１２    上側排気口
１７    下側モータ
１８    下側ファン
１９    下側フィルタ
２２    下側吸気口
２１    下側排気口
３    ハウジング
２５    電解水ミスト発生装置
２６    貯水部
２７    電極
２８    泡発生機構
３７    泡発生管  
３６    空気取り込みパイプ
【図１】
2009213739.tif 000003
【図２】
2009213739.tif 000004